(57)【要約】【課題】  モータにおいて、ブラシリード線を確実に保持すること。【解決手段】  有天筒状のハウジング１１の下端にブラケット１２が結合され、ブラケット１２のコンミテータ２８を囲む位置に、ブラシ３２を保持するブラシホルダ３１と、ブラシ３２に接続されるブラシリード線３４を保持する固定溝３８とを設けてなるモータ１０において、ハウジング１１が、固定溝３８に保持されたブラシリード線３４を押さえて抜け止めする押さえ突部１５を備えるもの。【選択図】  図２
2009112185.tif 000002
【特許請求の範囲】
【請求項１】
有天筒状のハウジングの下端にブラケットが結合され、
ハウジングの内周にマグネットを固定し、
ハウジングの中心軸上に配置したロータの両端部のそれぞれをハウジングの天面部とブラケットに支持し、ロータのブラケット寄りにコンミテータを設け、
ブラケットのコンミテータを囲む位置に、ブラシを保持するブラシホルダと、ブラシに接続されるブラシリード線を保持する固定溝とを設けてなるモータにおいて、
ハウジングが、固定溝に保持されたブラシリード線を押さえて抜け止めする押さえ部を備えることを特徴とするモータ。
【請求項２】
前記ブラシリード線がブラケットに設けたコネクタを介して給電線に接続され、
ブラケットのコンミテータを囲む位置に、給電線を保持する固定溝を設け、
ハウジングが、固定溝に保持された給電線を押さえて抜け止めする押さえ部を備える請求項１に記載のモータ。
【請求項３】
有天筒状のハウジングの下端にブラケットが結合され、
ハウジングの内周にマグネットを固定し、
ハウジングの中心軸上に配置したロータの両端部のそれぞれをハウジングの天面部とブラケットに支持し、ロータのブラケット寄りにコンミテータを設け、
ブラケットのコンミテータを囲む位置に、ブラシを保持するブラシホルダと、ブラシに接続されるブラシリード線を保持する固定溝とを設けてなるモータにおいて、
ブラシリード線がブラケットに設けたコネクタを介して給電線に接続され、
コネクタのブラシリード線が接続される端子と給電線が接続される端子の間に介装されるブレーカをブラケットに挿入し、
ハウジングが、ブレーカを押さえて抜け止めする押さえ部を備えることを特徴とするモータ。
【発明の詳細な説明】
【技術分野】
【０００１】
本発明はモータに関する。
【背景技術】
【０００２】
従来のモータとして、特許文献１に記載の如く、有天筒状のハウジングの下端にブラケットが結合され、ハウジングの内周にマグネットを固定し、ハウジングの中心軸上に配置したロータの両端部のそれぞれをハウジングの天面部とブラケットに支持し、ロータのブラケット寄りにコンミテータを設け、ブラケットのコンミテータを囲む位置に、ブラシを保持するブラシホルダと、ブラシに接続されるブラシリード線を保持する固定溝とを設けてなるものがある。ブラシリード線を固定溝に差し込んで保持することにより、ブラシリード線が振動等により振れ動くことを防止し、電流リップル等のモータ制御に及ぼす悪影響を排除するものである。
【特許文献１】特開2004-297896
【発明の開示】
【発明が解決しようとする課題】
【０００３】
特許文献１に記載のモータでは、ブラシリード線を固定溝の開口からその溝内に単に差し込んで保持するものであり、固定溝はブラシリード線の差し込み後にも外方に向けて開口している。このため、ブラシリード線が固定溝の開口から外れ出るおそれがある。
【０００４】
本発明の課題は、モータにおいて、ブラシリード線を確実に保持することにある。
【課題を解決するための手段】
【０００５】
請求項１の発明は、有天筒状のハウジングの下端にブラケットが結合され、ハウジングの内周にマグネットを固定し、ハウジングの中心軸上に配置したロータの両端部のそれぞれをハウジングの天面部とブラケットに支持し、ロータのブラケット寄りにコンミテータを設け、ブラケットのコンミテータを囲む位置に、ブラシを保持するブラシホルダと、ブラシに接続されるブラシリード線を保持する固定溝とを設けてなるモータにおいて、ハウジングが、固定溝に保持されたブラシリード線を押さえて抜け止めする押さえ部を備えるようにしたものである。
【０００６】
請求項２の発明は、請求項１の発明において更に、前記ブラシリード線がブラケットに設けたコネクタを介して給電線に接続され、ブラケットのコンミテータを囲む位置に、給電線を保持する固定溝を設け、ハウジングが、固定溝に保持された給電線を押さえて抜け止めする押さえ部を備えるようにしたものである。
【０００７】
請求項３の発明は、有天筒状のハウジングの下端にブラケットが結合され、ハウジングの内周にマグネットを固定し、ハウジングの中心軸上に配置したロータの両端部のそれぞれをハウジングの天面部とブラケットに支持し、ロータのブラケット寄りにコンミテータを設け、ブラケットのコンミテータを囲む位置に、ブラシを保持するブラシホルダと、ブラシに接続されるブラシリード線を保持する固定溝とを設けてなるモータにおいて、ブラシリード線がブラケットに設けたコネクタを介して給電線に接続され、コネクタのブラシリード線が接続される端子と給電線が接続される端子の間に介装されるブレーカをブラケットに挿入し、ハウジングが、ブレーカを押さえて抜け止めする押さえ部を備えるようにしたものである。
【発明の効果】
【０００８】
（請求項１）
(a)ブラシリード線は、ブラケットに設けられた固定溝に差し込み保持された後、ハウジングに設けられた押さえ部で上から押さえて抜け止めされる。ハウジングの押さえ部は、ブラケットの固定溝の開口を上から概ね閉鎖し、ブラシリード線が固定溝の開口から外れ出る可能性を確実に回避する。
【０００９】
(b)ハウジングの下端にブラケットを結合することで、直ちに、上述(a)のブラシリード線の抜け止め構造を構築できる。
【００１０】
（請求項２）
(c)ブラシリード線にコネクタを介して接続される給電線も、ブラケットに設けられた固定溝に差し込み保持された後、ハウジングに設けられた押さえ部で上から押さえて抜け止めされる。ハウジングの押さえ部は、ブラケットの固定溝の開口を上から概ね閉鎖し、給電線が固定溝の開口から外れ出る可能性を確実に回避する。
【００１１】
(d)ハウジングの下端にブラケットを結合することで、直ちに、上述(c)の給電線の抜け止め構造を構築できる。
【００１２】
（請求項３）
(e)ブレーカは、ブラケットに挿入された後、ハウジングに設けられた押さえ部で上から押さえて抜け止めされる。ブレーカのブラケットへの挿入性を容易にしながら、ブレーカを確実に抜け止め保持できる。
【００１３】
(f)ハウジングの下端にブラケットを結合することで、直ちに、上述(e)のブレーカの抜け止め構造を構築できる。
【発明を実施するための最良の形態】
【００１４】
図１はモータを示す平面図、図２は図１のII−II線に沿う断面図、図３は図１のIII−III線に沿う断面図、図４はモータの底面図、図５は図２のハウジングのV−V線に沿う矢視図、図６は図２のブラケットのVI−VI線に沿う矢視図、図７はブラケットへの給電線の配線状態を示し、（Ａ）は平面図、（Ｂ）は側面図、図８は給電線の引き出し構造を示す斜視図、図９は給電線の引出し構造を示す側面図である。
【実施例】
【００１５】
図１〜図９は、船外機用パワートリムチルト装置の油圧ポンプを駆動する直流モータ１０を示す。モータ１０は、図１〜図４に示す如く、有天筒状の合成樹脂製ハウジング１１の下端に円盤状の合成樹脂製ブラケット１２を結合して構成される。ハウジング１１の下端外周の複数ヵ所（本実施例では３ヵ所）にはフランジ１１Ａが設けられ、ブラケット１２の外周にはハウジング１１のフランジ１１Ａに対向するフランジ１２Ａが設けられる。モータ１０は、ハウジング１１の下端開口部がＯリング１３を介してブラケット１２の上端外周部に嵌合された状態で、ハウジング１１とブラケット１２の各１個のフランジ１１Ａ、１２Ａが止ねじ１４で結合されてそれらのハウジング１１とブラケット１２を一体化する。モータ１０は、ハウジング１１とブラケット１２の一体化状態で、ブラケット１２を不図示の支持体の上に配置し、各フランジ１１Ａ、１２Ａに設けたボルト挿通孔に挿通されるボルトを支持体に螺着する。
【００１６】
モータ１０は、ハウジング１１の円筒部の内周に磁性金属からなる円弧状のヨーク２１を固定的に設け、ヨーク２１の内周の複数位置（本実施例では４位置）に沿う各円弧状のマグネット２２を互いに間隔をおいてヨーク２１の内周に固定的に配置する。
【００１７】
モータ１０は、ロータ２３を中心軸上に配置する。ロータ２３の回転軸２４の一端部がハウジング１１の天面閉塞部に設けた軸受２５に支持され、回転軸２４の他端部がブラケット１２に設けた軸受２６に支持されるとともに、シール部材２７によって封止される。ロータ２３のブラケット１２寄りにはコンミテータ２８が設けられる。
【００１８】
モータ１０は、ブラケット１２においてコンミテータ２８を囲む周方向の複数位置（本実施例では４位置）にブラシホルダ３１を設け、各ブラシホルダ３１にブラシ３２を保持する。各ブラシ３２は、ブラケット１２との間に縮装されるばね３３の付勢力によりコンミテータ２８の中心を通る半径方向に付勢され、ブラシホルダ３１に摺動ガイドされてコンミテータ２８に摺接する。
【００１９】
モータ１０は、各ブラシ３２にブラシリード線３４を接続している。本実施例において、コンミテータ２８の中心を通り、互いに直交する第１と第２の２つの直径線のうちの、第１の直径線上に位置する２個のブラシ３２から延在する２本のブラシリード線３４は、コネクタ３５の一方の端子３５Ａに接続され、コネクタ３５の他方の端子３５Ｂに接続されている給電線４０（４１）と接続される。第２の直径線上に位置する他の２個のブラシ３２から延在する他の２本のブラシリード線３４は、ブレーカ付コネクタ３６の一方の端子３６Ａに接続され、コネクタ３６の他方の端子３６Ｂ（端子３６Ａと端子３６Ｂの間にブレーカ３７が介装する）に接続されている給電線４０（４２）と接続される。
【００２０】
尚、ブラケット１２は、コネクタ３５に接続される２本のブラシリード線３４のうちの長尺側のブラシリード線３４の中間部と、コネクタ３６に接続される２本のブラシリード線３４のうちの長尺側のブラシリード線３４の中間部を挿し込み保持する固定溝３８を備える。また、ブラケット１２は、給電線４０（４１、４２）の中間部を挿し込み保持する固定溝３９を備える。また、ハウジング１１は、固定溝３８、３９に保持されたブラシリード線３４、給電線４０を上から押さえて抜け止めする押さえ突部１５と、ブラケット１２に挿入してあるブレーカ３７を上から押さえて抜け止めする押さえ突部１６を備える。
【００２１】
以下、モータ１０における給電線４０（４１、４２）の引き出し構造について説明する。給電線４０は、モータ１０の内部への海水等の水の浸入を生ずることなくモータ１０から引き出す必要があるし、引き出された給電線４０は船体の壁や船外機の可動部との干渉を生じないように、モータ１０の周囲への張り出し量を小さくする必要がある。
【００２２】
モータ１０は、ブラケット１２の外面において、ハウジング１１の中心軸線と直交する方向に凹設される挿着孔５１にグロメット５０を軽圧入して挿着する。本実施例では、図３、図７に示す如く、ブラケット１２の外面に対して凹状をなす長孔状の挿着孔５１を設け、この挿着孔５１の孔底面に給電線４０をモータ１０の内外に通す挿通孔５２を穿設する。本実施例では２本の給電線４１、４２に対応する２個の挿通孔５２、５２が穿設される。本実施例において、グロメット５０は、シール剤を介さずに挿着孔５１に挿着される（シール剤を介しても可）。
【００２３】
給電線４０（４１、４２）は、図３、図７に示す如く、グロメット５０のハウジング１１の中心軸線と直交する方向に設けてある封止孔５０Ａ、本実施例では２本の給電線４１、４２に対応する２個の封止孔５０Ａ、５０Ａを貫通して、モータ１０の内部から外方に引き出される。モータ１０から引き出された給電線４０（４１、４２）は、グロメット５０の封止孔５０Ａから出た外側の屈曲部４０Ａでハウジング１１の中心軸線に沿う方向（ハウジング１１の天面側に向かう方向）に屈曲され、ハウジング１１の外面に沿って天面側に向かう上向きに延在される。
【００２４】
このとき、モータ１０は、図３、図４、図８、図９に示す如く、ブラケット１２の挿着孔５１に挿着してあるグロメット５０から引き出された給電線４０（４１、４２）を、ハウジング１１の中心軸線に沿う方向に屈曲する屈曲部４０Ａの直前で、着脱可能にその引き出し方向に保持するガイド部６１を、ハウジング１１の下端側に一体成形して設けてある。
【００２５】
具体的には、ハウジング１１の円筒部の外面の周方向の一部であって、軸方向に沿う中間部〜下端部に、ブラケット１２の挿着孔５１に挿着してあるグロメット５０の側にまで張り出る矩形板状の下向き張り出し部６０を有し、張り出し部６０に溝状をなして下向きに開口する下向き開口部６１Ａを備えたガイド部６１、本実施例では２本の給電線４１、４２に対応する２条のガイド部６１、６１を設ける。ハウジング１１をブラケット１２に嵌合したとき、各ガイド部６１はグロメット５０の各封止孔５０Ａに対応し、各ガイド部６１の溝上端を各封止孔５０Ａの上側円弧に合致する円弧状にする。これにより、グロメット５０から引き出された給電線４０（４１、４２）は、張り出し部６０の板厚分だけその引き出し方向にストレート状に保持され、屈曲部４０Ａで生ずる撓みの復元習性力を受けても変形しない。
【００２６】
張り出し部６０はグロメット５０の外側端面を塞ぐように覆い、グロメット５０を挿着孔５１から抜け止めする。本実施例では、グロメット５０の挿着孔５１を凹設してあるブラケット１２の挿着孔５１まわりの外面を平面状に加工してある（図７）。そして、ブラケット１２の上端外周部に嵌合されるハウジング１１の環状下端部の周方向の一部から下方に突き出る板状の張り出し部６０を、ブラケット１２の挿着孔５１まわりの外面に臨む範囲まで垂下し、このブラケット１２の挿着孔５１まわりの外面に臨む張り出し部６０の内面を該挿着孔５１まわりの外面に接する平面状に加工してある（図３、図８）。これにより、張り出し部６０はブラケット１２の挿着孔５１に挿着されたグロメット５０の外側端面の概ね全面を塞ぐように覆い、グロメット５０を挿着孔５１から抜け止めする。
【００２７】
本実施例によれば、ハウジング１１に張り出し部６０とそのガイド部６１を設けたことにより、以下の作用効果を奏する。
【００２８】
(a)給電線４０（４１、４２）がブラケット１２に挿着したグロメット５０をハウジング１１の軸線と直交する方向に貫通して外方に引き出された後、ハウジング１１の軸線に沿う方向に屈曲されるとき、ハウジング１１の下端側に一体成形したガイド部６１がグロメット５０から引き出された給電線４０（４１、４２）を、その屈曲部４０Ａの直前でその引き出し方向に保持する。これにより、屈曲した給電線４０（４１、４２）はガイド部６１に保持されてグロメット５０を変形させず、給電線４０（４１、４２）のブラケット１２からの引き出し部のグロメット５０によるシール機能を確保できる。
【００２９】
(b)ハウジング１１の下端部にグロメット５０の側にまで張り出る下向き張り出し部６０を有し、該張り出し部６０に溝状をなして下向きに開口するガイド部６１を設けた。従って、ハウジング１１の下端にブラケット１２を着脱するとき、ハウジング１１の下向き張り出し部６０に設けた溝状ガイド部６１が、グロメット５０から引き出された給電線４０（４１、４２）に上方から着脱できる。
【００３０】
(c)上述(b)の張り出し部６０がグロメット５０の外側端面を覆い、該グロメット５０を挿着孔５１から抜け止めする。従って、ハウジング１１の下端にブラケット１２を着脱するとき、ハウジング１１の張り出し部６０によりグロメット５０の外側端面を覆い、グロメット５０を直ちに抜け止めして簡易に固定できる。
【００３１】
更に、モータ１０は、図１、図３、図８、図９に示す如く、ブラケット１２の挿着孔５１に挿着してあるグロメット５０から引き出され、ハウジング１１の中心軸線に沿う方向に屈曲部４０Ａで屈曲されてから、ハウジング１１の外面に沿って上向きに延在する給電線４０（４１、４２）を着脱可能にその上向き延在方向に保持するクランプ部７１を、ハウジング１１の外面に一体成形して設ける。
【００３２】
具体的には、ハウジング１１の円筒部の外面の軸方向に沿う中間部（本実施例では前述の張り出し部６０の上端部）に突き出るフック部７０を有し、フック部７０に溝状をなしてハウジング１１の外面の周方向に開口する横向き開口部７１Ａを備えたクランプ部７１を設ける。給電線４０（４１、４２）はフック部７０の横向き開口部７１Ａからクランプ部７１に挿し込まれ、本実施例では２本の給電線４１、４２がフック部７０とハウジング１１の外面（本実施例では張り出し部６０の上端部の表面）との間に並んで保持される。
【００３３】
本実施例によればハウジング１１にフック部７０とそのクランプ部７１を設けたことにより、以下の作用効果を奏する。
【００３４】
(a)ハウジング１１の外面に沿って上向きに延在する給電線４０（４１、４２）を、ハウジング１１の外面に一体成形したクランプ部７１に着脱可能に保持する。クランプ部７１をハウジング１１に一体成形したから、部品点数を増やすことがないし、モータ１０に対する給電線４０（４１、４２）の繰り返し着脱時におけるモータ１０の組ばらし性も良く、保守交換用の予備部品も必要としない。
【００３５】
(b)ハウジング１１の外面にフック部７０を有し、該フック部７０に溝状をなしてハウジング１１の周方向に開口するクランプ部７１を設けた。従って、ハウジング１１の外面に延在する給電線４０（４１、４２）を、フック部７０の溝状クランプ部７１にハウジング１１の周方向から簡易に係入して着脱できる。
【００３６】
本実施例によればハウジング１１にブラシリード線３４、給電線４０のための押さえ突部１５、ブレーカ３７のための押さえ突部１６を設けたことにより、以下の作用効果を奏する。
【００３７】
(a)ブラシリード線３４は、ブラケット１２に設けられた固定溝３８に差し込み保持された後、ハウジング１１に設けられた押さえ突部１５で上から押さえて抜け止めされる。ハウジング１１の押さえ突部１５は、ブラケット１２の固定溝３８の開口を上から概ね閉鎖し、ブラシリード線３４が固定溝３８の開口から外れ出る可能性を確実に回避する。
【００３８】
(b)ハウジング１１の下端にブラケット１２を結合することで、直ちに、上述(a)のブラシリード線３４の抜け止め構造を構築できる。
【００３９】
(c)ブラシリード線３４にコネクタ３５、３６を介して接続される給電線４０も、ブラケット１２に設けられた固定溝３９に差し込み保持された後、ハウジング１１に設けられた押さえ突部１５で上から押さえて抜け止めされる。ハウジング１１の押さえ突部１５は、ブラケット１２の固定溝３９の開口を上から概ね閉鎖し、給電線４０が固定溝３９の開口から外れ出る可能性を確実に回避する。
【００４０】
(d)ハウジング１１の下端にブラケット１２を結合することで、直ちに、上述(c)の給電線４０の抜け止め構造を構築できる。
【００４１】
(e)ブレーカ３７は、ブラケット１２に挿入された後、ハウジング１１に設けられた押さえ突部１６で上から押さえて抜け止めされる。ブレーカ３７のブラケット１２への挿入性を容易にしながら、ブレーカを確実に抜け止め保持できる。
【００４２】
(f)ハウジング１１の下端にブラケット１２を結合することで、直ちに、上述(e)のブレーカの抜け止め構造を構築できる。
【００４３】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４４】
【図１】図１はモータを示す平面図である。
【図２】図２は図１のII−II線に沿う断面図である。
【図３】図３は図１のIII−III線に沿う断面図である。
【図４】図４はモータの底面図である。
【図５】図５は図２のハウジングのV−V線に沿う矢視図である。
【図６】図６は図２のブラケットのVI−VI線に沿う矢視図である。
【図７】図７はブラケットへの給電線の配線状態を示し、（Ａ）は平面図、（Ｂ）は側面図である。
【図８】図８は給電線の引き出し構造を示す斜視図である。
【図９】図９は給電線の引き出し構造を示す側面図である。
【符号の説明】
【００４５】
１０  モータ
１１  ハウジング
１２  ブラケット
１５  押さえ突部（押さえ部）
１６  押さえ突部（押さえ部）
２２  マグネット
２３  ロータ
２８  コンミテータ
３１  ブラシホルダ
３２  ブラシ
３４  ブラシリード線
３５、３６  コネクタ
３７  ブレーカ
３８、３９  固定溝
４０  給電線
【図１】
2009112185.tif 000003
【図２】
2009112185.tif 000004
【図３】
2009112185.tif 000005
【図４】
2009112185.tif 000006
【図５】
2009112185.tif 000007
【図６】
2009112185.tif 000008
【図７】
2009112185.tif 000009
【図８】
2009112185.tif 000010
【図９】
2009112185.tif 000011